(57)【要約】      （修正有）【課題】複数のワイヤロープ等の紐状体をそれぞれ１台のウインチで移動することで装置全体を簡素化し、各ワイヤロープ等の紐状体の調整が容易に行え、安全性にとんだウインチ及び該ウインチを用いた移動システムを提供する。【解決手段】巻回ドラムを回転駆動することでワイヤロープ等の紐状体を取り込み移動するとともに取り出し移動する無端状のウインチ１において、ウインチ本体には、少なくとも２以上の駆動軸３が設けられ、各駆動軸には径がそれぞれ同一又は相違する巻回ドラム５が設けられ、且つ各巻回ドラムの一又は複数の溝に巻回されたワイヤロープ等の紐状体の取り込み移動及び取り出し移動又は各巻回ドラム間の移動を補助すべく、各巻回ドラムの回転に連動してワイヤロープ等の紐状体を断続的に押圧しながらワイヤロープ等の紐状体の移動をガイドするための押圧ガイド手段６が、１又は複数個設けられている。【選択図】図１
2010116265.tif 000002
【特許請求の範囲】
【請求項１】
ワイヤロープ等の紐状体を外周に形成された溝に巻回するための巻回ドラムと、巻回ドラムを正回転又は逆回転駆動するための駆動軸とが設けられたウインチ本体から構成され、巻回ドラムを回転駆動することでワイヤロープ等の紐状体を取り込み移動するととともに取り出し移動する無端状のウインチにおいて、ウインチ本体には、少なくとも２以上の駆動軸が設けられ、各駆動軸には径がそれぞれ同一又は相違する巻回ドラムが設けられ、且つ各巻回ドラムの一又は複数の溝に巻回されたワイヤロープ等の紐状体の取り込み移動及び取り出し移動又は各巻回ドラム間の移動を補助すべく、各巻回ドラムの回転に連動してワイヤロープ等の紐状体を断続的に押圧しながらワイヤロープ等の紐状体の移動をガイドするための押圧ガイト手段が、１又は複数個設けられていることを特徴とするウインチ。
【請求項２】
ウインチ本体に設けられた駆動軸を用いて巻回ドラムを正回転又は逆回転駆動することでワイヤロープ等の紐状体を巻回ドラム側に取り込み移動するとともに取り出し移動する無端状のウインチを用いてネット等の吊張体を開閉／昇降移動するウインチを用いた移動システムにおいて、ウインチ本体に設けられた少なくとも２以上の駆動軸にそれぞれ設けられた同一又は相違する径の巻回ドラムをそれぞれ同時に回転駆動することにより各巻回ドラムの一又は複数の溝にそれぞれ別々に巻回された複数のワイヤロープ等の紐状体を溝側に断続的に押圧しながら、その移動方向に応じてその移動をガイドして、同時に複数のワイヤロープ等の紐状体を取り込み移動及び取り出し移動することで複数のネット等の吊張体を吊り張り形状に応じて開閉／昇降移動することを特徴とするウインチを用いた移動システム。
【請求項３】
ウインチ本体に設けられた駆動軸を用いて巻回ドラムを正回転又は逆回転駆動することでワイヤロープ等の紐状体を巻回ドラム側に取り込み移動するとともに取り出し移動する無端状のウインチを用いてネット等の吊張体を開閉／昇降移動するウインチを用いた移動システムにおいて、ウインチ本体に設けられた少なくとも２以上の駆動軸にそれぞれ設けられた同一又は相違する径の巻回ドラムをそれぞれ同時に回転駆動することにより各巻回ドラムの一又は複数の溝にそれぞれ巻回された一つのワイヤロープ等の紐状体を溝側に断続的に押圧しながら、その移動方向に応じてその移動をガイドして、ワイヤロープ等の紐状体を各巻回ドラム間で駆動移動するとともに巻回ドラムの一方より取り込み移動し巻回ドラムの他方より取り出し移動することでネット等の吊張体を開閉／昇降移動することを特徴とするウインチを用いた移動システム。
【発明の詳細な説明】
【技術分野】
【０００１】本発明は、同時に複数のワイヤロープ等の紐状体を無端状に移動することのできるウインチ及び該ウインチを用いた移動システムに関する。
【背景技術】
【０００２】例えば、ゴルフ練習場等の屋外の施設で防球用として使用するネットは、空間部の大きさに応じて設置された複数の無端状ウインチと、空間部を形成する支柱間にカイド用ワイヤロープに沿って吊り張りされた複数のネットと、各支柱の上下間に滑車を介して吊り張りされた駆動用ワイヤロープとから構成され、各ウインチを駆動することで駆動軸を回転駆動して巻回ドラムを回転する。そして、該巻回ドラムの外周縁に形成された溝に巻回された駆動用ワイヤロープを滑車間で無端状に移動し、該駆動用ワイヤロープに一端を連結したネットをガイド用ワイヤロープに沿って昇降移動する。【０００３】また、室内練習場等の屋内の施設で防球用や間仕切り用として使用するネットは、大空間部に対応するためにその面積が大きくなりこのため、複数に分割したネットを組み合わせて防球用や間仕切り用として使用する。前記各ネットを開閉する場合は、ネットの上端側に複数の吊張用ワイヤロープを連結し、複数のウインチを用いて該吊張用ワイヤロープを昇降移動する方式、又は上記と同様にガイド用ワイヤロープに沿って吊り張りされた複数のネットを、複数のウインチで駆動する複数の駆動用ワイヤロープを滑車間で無端状に移動して、ネットをガイド用ワイヤロープに沿って移動することで開閉移動する方式等が採用されている。【０００４】また、他の施設の使用として、レジャー施設の大型のプールの上方全体に紫外線をカットするためのＵＶシート（複数に分割したシート）の開閉移動、高層建築等の建設現場における防雨対策／安全対策用ネットやシートの昇降移動、高速道路における防霧用／防雪用のネットやシート等がある。【０００５】上記のように、ウインチを用いた移動システムは大きく分けると屋内用システムと、屋外用システムに分けることができる。【０００６】屋内の場合は、天井部分又はその周辺上部を利用してウインチを設置し、使用目的に応じて空間部を囲むように防球用ネットを取り付け、又は間仕切り用ネットを取り付けて開閉／昇降移動したり又は収納移動したりするシステムとして利用され、屋外の場合は、自然の影響、特に風の影響を受けやすく、風の強い日に素早くネットを収納する必要があり、空間部を囲むように防球用ネットを取り付けて開閉移動するネット等を速やかに開閉移動するシステムが使用されている。【０００７】上記屋内外で使用されるウインチとしては、全体が矩形状のウインチ本体と、ウインチ本体に駆動軸を介して取り付けられたモーターよりなる駆動部（電動式の場合）とから構成され、前記駆動軸にはワイヤロープを外周に形成された溝に巻回して移動する巻回ドラムが取り付けられ、巻回ドラムの外周にはワイヤロープが巻回されている範囲に沿ってワイヤロープを溝側へ押圧して移動するローラーチェーンが設けられ、該ローラーチェーンの両端側はウインチ本体に設けられた弾性体により張設されている（特開２０００−３５１５８０号公報参照）ウインチが使用されている。【０００８】上記従来のウインチは上記構成により、常に巻回ドラムの回転方向にローラーチェーンが引っ張られた状態となり、ワイヤロープの巻回ドラムへの取り込み側が押圧されワイヤロープの巻回ドラムよりの取り出し側がフリー状態となるために、ワイヤロープ移動中の力をロスなく、適切に移動することができる。このために、上記各施設等においては、複数の上記ウインチを制御盤を介して同期させて大面積のネットや複数のネットを開閉等に移動していた。【０００９】しかしながら、上記従来より使用されているウインチは、１つの巻回ドラムで１本のワイヤロープを移動しているために、複数のネットをワイヤロープで移動するシステムにおいては、複数台のウインチを同期して駆動する必要があるが、ウインチの数が多くなるとそれぞれのウインチで移動するワイヤロープの移動距離が相違するために、ワイヤロープに弛みや撓みが発生しやすく、各ウインチを同期して駆動することは困難を要する。【００１０】また、空間部を広く利用するためには複数台ウインチを必要とするが、施設によってはウインチの設置スペースが十分でなく全てのウインチを適切に設置できない。【００１１】そこで、ウインチの本体に２つ又は複数の巻回ドラムを設け、１台のウインチで同時に複数のワイヤロープを移動することが可能とすることで、各ウインチの同期が容易で、しかも設置スペースを少なくして上記各問題を解決することが考えられた。
【発明が解決しようとする課題】
【００１２】しかしながら、上記２つ又は複数の巻回ドラムを設けたウインチにおいては、各巻回ドラムに巻回されたワイヤロープにかかる荷重が相違するとワイヤロープに弛み又は撓みが発生し、各ワイヤロープをスムーズに移動することができないという欠点があった。
【００１３】また、各巻回ドラム間に１本のワイヤロープを巻回して使用する場合においても、巻回ドラムに複数回巻き付けて使用するために巻回ドラムの溝の幅等によりワイヤロープに弛み又は撓みが発生し、各ワイヤロープをスムーズに移動することができないという欠点があった。
【００１４】さらに、各ワイヤロープにかかる荷重の相違により各巻回ドラムへの巻回が十分にできない場合が発生するという欠点があった。
【００１５】そこで、本発明は、複数のワイヤロープ等の紐状体をそれぞれ１台のウインチで移動することで駆動システム全体を簡素化し、各ワイヤロープ等の紐状体の調整が容易に行え、安全性にとんだウインチ及び該ウインチを用いた移動システムを提供することを課題とする。
【課題を解決するための手段】
【００１６】本発明は上記課題を解決するためのウインチの第１の手段は、請求項１に記載のように、ワイヤロープ等の紐状体を外周に形成された溝に巻回するための巻回ドラムと、巻回ドラムを正回転又は逆回転駆動するための駆動軸とが設けられたウインチ本体から構成され、巻回ドラムを回転駆動することでワイヤロープ等の紐状体を取り込み移動するととともに取り出し移動する無端状のウインチにおいて、ウインチ本体には、少なくとも２以上の駆動軸が設けられ、各駆動軸には径がそれぞれ同一又は相違する巻回ドラムが設けられ、且つ各巻回ドラムの一又は複数の溝に巻回されたワイヤロープ等の紐状体の取り込み移動及び取り出し移動又は各巻回ドラム間の移動を補助すべく、各巻回ドラムの回転に連動してワイヤロープ等の紐状体を断続的に押圧しながら、ワイヤロープ等の紐状体の移動をガイドするための押圧ガイド手段が、１又は複数個設けられていることを特徴とする。
【００１７】本発明は上記課題を解決するためのウインチを用いた移動システムの第１の解決手段は、請求項２に記載のように、ウインチ本体に設けられた駆動軸を用いて巻回ドラムを正回転又は逆回転駆動することでワイヤロープ等の紐状体を巻回ドラム側に取り込み移動するとともに取り出し移動する無端状のウインチを用いてネット等の吊張体を開閉／昇降移動するウインチを用いた移動システムにおいて、ウインチ本体に設けられた少なくとも２以上の駆動軸にそれぞれ設けられた同一又は相違する径の巻回ドラムをそれぞれ同時に回転駆動することにより各巻回ドラムの一又は複数の溝にそれぞれ巻回された複数のワイヤロープ等の紐状体を溝側に断続的に押圧しながら、その移動方向に応じてその移動をガイドして、同時に複数のワイヤロープ等の紐状体を取り込み移動及び取り出し移動することで複数のネット等の吊張体を吊り張り形状に応じて開閉／昇降移動することを特徴とする。
【００１８】本発明は上記課題を解決するためのウインチを用いた移動システムの第２の解決手段は、請求項３に記載のように、ウインチ本体に設けられた駆動軸を用いて巻回ドラムを正回転又は逆回転駆動することでワイヤロープ等の紐状体を巻回ドラム側に取り込み移動するとともに取り出し移動する無端状のウインチを用いてネット等の吊張体を開閉／昇降移動するウインチを用いた移動システムにおいて、ウインチ本体に設けられた少なくとも２以上の駆動軸にそれぞれ設けられた同一又は相違する径の巻回ドラムをそれぞれ同時に回転駆動することにより各巻回ドラムの一又は複数の溝にそれぞれ巻回された一つのワイヤロープ等の紐状体を溝側に断続的に押圧しながら、その移動方向に応じてその移動をガイドして、ワイヤロープ等の紐状体を各巻回ドラム間で駆動移動するとともに巻回ドラムの一方より取り込み移動し巻回ドラムの他方より取り出し移動することで複数のネット等の吊張体を開閉／昇降移動することを特徴とする。
【発明の作用・効果】
【００１９】本発明の第１の手段によるウインチは、先ず、ネットに連結され、滑車間で無端状に吊り張りした複数のワイヤロープ等の紐状体をウインチ本体に設けられた少なくとも２以上の巻回ドラムのそれぞれ外周に形成された一又は複数の溝に巻回して取り付ける。この状態で複数のワイヤロープ等の紐状体は、別々の巻回ドラムにそれぞれ巻回され、巻回ドラムの回転が別々に伝達されることとなる。
【００２０】その後、ウインチ本体に設けられた各駆動軸を正方向に回転駆動することで、上記２以上の巻回ドラムそれぞれ同期して回転し、ワイヤロープ等の紐状体を巻回ドラムの回転にそって移動することで、該ワイヤロープ等の紐状体に連結されたネット等の吊張体を所望の方向（水平方向又は昇降方向）に吊り張り移動する。
【００２１】この際、ウインチ本体には、押圧ガイド手段が設けられているために、各巻回ドラムの溝に巻回された各ワイヤロープ等の紐状体をそれぞれ連動しながら巻回ドラム側に断続的に押圧するとともに、各ワイヤロープ等の紐状体をガイドに沿って移動して、スムーズに各ワイヤロープ等の紐状体を各巻回ドラムの一方側より取り込み移動するととともに各巻回ドラムの他方側より取り出し移動する。
【００２２】次に、前記ウインチ本体に設けられた各駆動軸を上記と逆方向に回転駆動することで、２以上の巻回ドラムをそれぞれ同期して逆回転し、ワイヤロープ等の紐状体を巻回ドラムの回転にそって上記と逆方向に移動することで、連結されたネットを水平方向、又は昇降方向に収納移動する。
【００２３】この際も、前記と同様に押圧ガイド手段により、各巻回ドラムの溝に巻回されたワイヤロープ等の紐状体をそれぞれ連動しながら巻回ドラム側に断続的に押圧するとともに、各ワイヤロープ等の紐状体をガイドに沿って移動してスムーズに各ワイヤロープ等の紐状体を各巻回ドラムの他方側より取り込み移動するととともに各巻回ドラムの他方側より一方側に取り出し移動する。
【００２４】また、上記駆動軸を駆動する際、各駆動軸に設けられている各巻回ドラムの大きさ（径）が同一の場合は、各巻回ドラムに巻回されたワイヤロープ等の紐状体を同じ距離のみ移動することができ、各巻回ドラムの大きさ（径）が相違する場合は、相違する移動距離応じた巻回ドラムを選択して、それぞれ相違する距離ワイヤロープ等の紐状体を移動することができる。
【００２５】また、各ワイヤロープ等の紐状体の移動距離の相違による荷重等の調整も上記押圧ガイド手段でスムーズ行うことができるので、巻回ドラムの径の調整も容易に行うことが可能である。
【００２６】このため、１台のウインチであっても、ウインチ本体に設けられた駆動軸の数に応じたウインチ台数と同様の効果を得ることができる。
【００２７】しかも、各ワイヤロープ等の紐状体のそれぞれの移動方向がそれぞれ相違する場合であっても、ウインチ本体への押圧ガイド手段の取り付け位置を変更することで、自在に対応することができるために、施設等でウインチの取り付け位置等に制限がある場合であっても自在に対応することができる。
【００２８】このため、メンテナンスにおいても、点検／取り替えするウインチ数が少なく、また、各ワイヤロープ等の紐状体の使用による弛み／撓みも巻回ドラムの取り替え等で容易に処理でき、メンテナンス作業が従来に比し格段にスムーズに行えることとなる。
【００２９】また、１本のワイヤロープ等の紐状体をウインチ本体に設けられた２以上の巻回ドラムに巻回することで、従来と同様に１本のワイヤロープ等の紐状体をウインチで移動できる。この際、各巻回ドラムを同期して回転することで１つの巻回ドラムでワイヤロープ等の紐状体を移動する場合に比し、強い回転駆動力でワイヤロープ等の紐状体をスムーズに取り込み及び取り出し移動することができる。
【００３０】このため、従来のように巻回ドラムがワイヤロープ等の紐状体の荷重に対応できずに、空回りすることなく確実に移動することができ、ワイヤロープ等の紐状体の磨耗も極力抑えることができる。
【００３１】このように、本発明のウインチは、１台で同時に複数のワイヤロープ等の紐状体を移動することができるので、設置するウインチの台数を少なくしコストの低減を可能とする。
【００３２】従って、簡易な構成で複数のワイヤロープ等の紐状体を移動することができるので、少ないスペースにウインチを設置することができる。
【００３３】また、巻回ドラムが駆動軸に着脱可能なので適切な大きさ（径）の巻回ドラムを装着して対応することができるので、あらゆる種類の施設や装置に対応して、設置及び使用することができる。
【００３４】また、各巻回ドラムへのワイヤロープ等の紐状体の取り入れ側と取り出し側とが相違する場合であっても、それぞれ各巻回ドラムに巻回して自在に移動することができる。
【００３５】また、駆動軸に設けられた同一又は相違する径の少なくとも１以上の巻回ドラムをそれぞれ同時に回転駆動することにより制御した複数のワイヤロープ等の紐状体を同時に同方向又は相違する方向に移動して、ネット等の吊張体を左右／昇降移動することガできる。
【発明を実施するための最良の形態】
【００３６】以下、本発明のウインチ及び該ウインチを用いた移動システムの一実施例について下記のような各図面を用いて説明する。【００３７】図１は本発明のウインチを示す概略説明正面図であり、図２は押圧ガイド体を示す概略説明正面図であり、図３、図４はウインチの巻回ドラムにそれぞれ別の紐状体を巻回した使用状態を示す概略説明正面図であり、図５、図６ウインチの巻回ドラムに１つの紐状体を巻回した使用状態を示す概略説明正面図であり、図７、図８は、本発明のウインチを用いた移動システムを示す概略説明図であり、図９、図１０は、本発明の巻回ドラムに対しての押圧ガイド体の押圧状態を示す概略説明側面図、図１１、図１２は本発明の２個の巻回ドラムに１つの紐状体に巻回した場合を示す概略説明図、図１３は複数のネット等の吊張体を吊り張りする場合を示す概略説明図である。【００３８】本発明のウインチ１は、略矩形箱状のウインチ本体２と、該ウインチ本体２に連結された駆動部（図示せず、手動の場合はハンドル、電動の場合はモータ等）とから構成されている。【００３９】ウインチ本体２には、所望の間隔を開けて回転自在に設けられた２本の駆動軸３（３Ａ，３Ｂ）と、該駆動軸３（３Ａ，３Ｂ）にそれぞれ取り付けられた外周側面に断面略Ｖ字状の溝が形成された略円形状の２個の同一径の巻回ドラム５（５Ａ、５Ｂ）と、各巻回ドラム５（５Ａ、５Ｂ）の近傍に着脱自在に固定された押圧ガイド手段としての押圧ガイド体６とが設けられている。【００４０】前記各巻回ドラム５（５Ａ、５Ｂ）には、溝４に沿って紐状体７（以下紐状体７とは、ワイヤロープ、通常の強化ロープ、外周にビニールの設けられた線状体及び近年開発された強度のある樹脂ロープ等の総称として記載する）が巻回される。【００４１】前記押圧ガイド体６は、各巻回ドラム５（５Ａ、５Ｂ）間でウインチ本体２の略中央部に取り付けられ、弾性体（図示せず…バネ等の公知体）により各巻回ドラム５（５Ａ、５Ｂ）側に押圧された板状の取付板１０と、該取付板１０に回動自在に取り付けられた３個のローラ体８（８Ａ，８Ｂ，８Ｃ）とから構成され、各ローラ体８が前記弾性体により揺動しながら巻回ドラム５（５Ａ、５Ｂ）の回転方向に応じて、巻回ドラム５（５Ａ、５Ｂ）の溝に巻回された一方の紐状体７をガイドしながら押圧し、他方の紐状体７をガイドしながら押圧を解除して移動する。【００４２】本発明のウインチ１の基本構成は上記より構成されている。次に上記基本構成のウインチ１を使用して２本の紐状体７を同時に移動する場合について説明する。【００４３】先ず、同一方向に吊り張り移動する２本の紐状体７の場合は、それぞれの紐状体７を、別々に巻回ドラム５（５Ａ、５Ｂ）側に取り入れ、その後各駆動軸３（３Ａ，３Ｂ）を回転駆動することにより、それぞれの巻回ドラム５（５Ａ、５Ｂ）の溝に沿って紐状体７を巻回し、取り入れ方向と同一の方向に紐状体７を取り出し移動する。【００４４】この際、２本の紐状体７がそれぞれ別々に溝に沿って巻回された巻回ドラム５（５Ａ、５Ｂ）は、駆動軸３（３Ａ，３Ｂ）が相違するために、２台のウインチを用いる場合と同様に２本の紐状体７を同期して移動することができるという効果を得ることができる。【００４５】また、巻回ドラム５（５Ａ、５Ｂ）の溝に巻回された２本の紐状体７は、１つの押圧ガイド体６の取付板１０が押圧しながら揺動すことで該取付板１０に設けられた３個のローラ体８（８Ａ，８Ｂ，８Ｃ）のうちの２個のローラ体８で、取り入れ方向の一方の紐状体７をガイドしながら押圧し、取り出し方向の他方の紐状体７をガイドしながら押圧を解除する。【００４６】これにより、同時に２本の紐状体７を取り入れ及び取り出しすることができ、スムーズな移動が可能となり、巻回ドラム５（５Ａ、５Ｂ）の同期が容易となる。【００４７】次に上記基本構成のウインチ１を使用した紐状体７の移動を利用したウインチ１の移動システムについて説明する。【００４８】本構成のウインチ１の移動システムは、主に屋内の空間部で使用され、その構成の特徴は床面側に設置された１台のウインチ１の巻回ドラム５（５Ａ、５Ｂ）の溝に巻回され、それぞれ天井側に取り出し天井の傾斜に沿って滑車１２間で無端状に吊り張した２本の紐状体７と、該紐状体７に一端側を連結した複数の吊張用ロープ１３と、吊張用ロープ１３の他端側に連結されたネット１１とから構成されている。【００４９】上記ネット１１を吊り張りする場合は、駆動源によりウインチ１の駆動軸３（３Ａ，３Ｂ）を正方向に回転駆動すると、巻回ドラム５（５Ａ、５Ｂ）もそれぞれ正方向に回転して２本の紐状体７を滑車１２間で移動して、吊張用ロープ１３を昇降することで、ネット１１を空間部に吊り張りする。【００５０】次にネット１１を収納する場合は、ウインチ１の駆動軸３（３Ａ，３Ｂ）を上記と逆方向に回転駆動すると、巻回ドラム５（５Ａ、５Ｂ）もそれぞれ逆方向に回転して２本の紐状体７を滑車１２間で移動して、吊張用ロープ１３を下降してネット１１を床面側に移動し、該ネット１１を吊張用ロープ１３より取り外すことでネット１１のみを収納する。【００５１】尚、上記実施例では、２本の紐状体７の移動方向が同一方向として説明したが、本発明において２本の紐状体７の移動方向が相違する場合であっても対応することができる。例えば、上記ウインチ１を天井側に設置し、巻回ドラム５（５Ａ、５Ｂ）の巻回した２本の紐状体７をそれぞれ左右方向に取り出すことで上記と同様にネット１１を昇降移動することができる。この場合において、１つの押圧ガイド体６を巻回ドラム５（５Ａ、５Ｂ）間に取り付けることで上記同様に１つの押圧ガイド体６で２本の紐状体７をそれぞれ同時に押圧しながらガイド移動することができる。【００５２】次に、１本の紐状体７を巻回ドラム５（５Ａ、５Ｂ）両方に巻回して移動するウインチ１の移動システムについて説明する。【００５３】先ず、紐状体７を支柱１５の下端側に取り付けられたウインチ１の巻回ドラム５（５Ａ、５Ｂ）に巻回し、滑車１２を介して支柱１５近傍で上下方向に無端状に吊り張りし、ガイド用ロープ１６に設けられたネット１１の上端側を連結する。【００５４】この状態で、ウインチ１の駆動軸３（３Ａ，３Ｂ）を回転駆動することで、巻回ドラム５（５Ａ、５Ｂ）を正方向及び逆方向に回転して紐状体７を滑車１２間で移動することで、ガイド用ロープ１６に沿ってネット１１を昇降して吊り張り又は収納する。【００５５】この際、紐状体７は巻回ドラム５（５Ａ、５Ｂ）に交差して複数巻きされることとなり複数の溝の形成された巻回ドラム５（５Ａ、５Ｂ）を使用するが、溝はそれぞれ螺旋状に連続していないために紐状体７は各巻回ドラム５（５Ａ、５Ｂ）間で少しずれた状態で螺旋状に２重以上に巻回されることとなり、溝部分より受ける摩擦等によりそれぞれの緊張が相違し、連続して使用すると弛み又は撓みが発生する。しかしながら、巻回ドラム５（５Ａ、５Ｂ）間には、１つの押圧ガイド体６が溝方向に沿って幅Ｌ（各ローラ体８（８Ａ，８Ｂ，８Ｃ）を円柱状に形成するか、又は幅方向に複数のローラ体８それぞれ設け巻回された各紐状体７を押圧及びガイドするように構成する）を有して設けられ、さらに弾性体により各巻回ドラム５（５Ａ、５Ｂ）側に押圧されているために、それぞれの溝に巻回された紐状体７の緊張する度合いに応じて押圧力を調整しながら押圧及びガイドするために、各巻回ドラム５（５Ａ、５Ｂ）の溝部分より受ける摩擦等によりそれぞれの緊張が相違し、弛み又は撓みが発生しても押圧力の調整により確実に紐状体７を溝側に押圧移動できるので、連続して使用することが可能となる。【００５６】また、上記紐状体７を巻回ドラム５（５Ａ、５Ｂ）間に交差することなく複数巻きする場合は、紐状体７の移動に沿って押圧ガイド体６を上下に取り付ける。この際、紐状体７の巻回本数の幅Ｌに沿って複数のローラ体８それぞれ設け各紐状体７を押圧及びガイドすることで、紐状体７にかかる荷重や巻回ドラム５（５Ａ、５Ｂ）の溝部分より受ける摩擦等によりそれぞれの緊張の相違により発生する紐状体７の弛み又は撓みを解消することができるために、紐状体７を各巻回ドラム５（５Ａ、５Ｂ）の溝に当接させてスムーズに移動することができる。【００５７】尚、上記のように押圧ガイド体６を上下に取り付けるとともに、巻回ドラム５（５Ａ、５Ｂ）の溝側へ押圧すべく取り付けることで、巻回ドラム５（５Ａ、５Ｂ）の回転駆動を確実に紐状体７に伝動することが可能となる。【００５８】上記押圧ガイド体６は、巻回ドラム５（５Ａ、５Ｂ）間で十字状に交差する紐状体７部分では３個のローラ体８（８Ａ，８Ｂ，８Ｃ）のうち、２個のローラ体８が押圧及びガイド移動し、巻回ドラム５（５Ａ、５Ｂ）間で水平移動する紐状体７部分では、残りの１個のローラ体８で押圧及びガイド移動するために、巻回ドラム５の駆動力を確実に紐状体７に伝達し、スムーズな紐状体７を取り入れ及び取り出しすることができる。【００５９】上記各実施例においては、ウインチ本体２には２本の駆動軸３（３Ａ，３Ｂ）と２個の巻回ドラム５（５Ａ、５Ｂ）を取り付けたが、本発明において駆動軸３の数はこれに限定されるものでなく、３本でも４本でも可能である。要は、無端状に移動する紐状体７の数に応じて巻回ドラム５を取り付ける駆動軸３を設ければよい。【００６０】また、上記実施例では２本の駆動軸３（３Ａ，３Ｂ）に径の同一の巻回ドラム５（５Ａ、５Ｂ）を設けることで紐状体７の移動距離を同一としたが径の相違する巻回ドラム５（５Ａ、５Ｂ）を設けることで、その移動距離を巻回ドラム５部分で調整することも可能である。この場合、押圧ガイド体６の形状も変更し、小さい径の巻回ドラム５には径の大きなローラ体８を対応させるか、又は取付板１０の変更することで対応する。【００６１】このように、ウインチ１に２以上の駆動軸３を設け、２以上で、且つ径の同一又は相違する巻回ドラム５を設けることで、１台のウインチ１で複数の紐状体７を同期して自在に移動することができ、またそれぞれの移動距離が相違する場合も移動することができる。【００６２】また、上記実施例では、紐状体７は巻回ドラム５の外周の一周の溝に沿って一方より他方へ移動したが、２周又は３周に形成することで紐状体７の取り出し方向と取り込み方向を自在に設定して移動することも可能である。【００６３】また、ウインチ１の構成が簡易であり、コストの面でも従来のウインチを複数設置する場合に比し、格段に低減することができる。【００６４】また、２本以上の紐状体７を同時に利用しての作業が可能であるために、１本が損傷しても他の１本で支持できるために安全性の面においても従来にない格別の効果を得た。【００６５】又、上記各実施例では、主として屋内のネット体の移動用としてウインチ１を使用したが、本発明のウインチ１及び該ウインチを用いた移動システムはこれに限定されるものでなく、例えば、屋内の緞帳用として、又は屋外の防球用ネット用としても使用可能であり、また、工事用リフト、作業用の吊りワイヤートしても使用可能である。【００６６】尚、上記実施例では、巻回ドラム５の溝については特に明記していないが、径が相違する紐状体７に取り替える場合であっても、溝の拡大した巻回ドラム５を取り替えるだけで対応することができる。【００６７】又、上記実施例では、押圧ガイド体６を揺動自在に取り付けられた取付板１０と、該取付板１０に回動自在に取り付けられた３個のローラ体８（８Ａ，８Ｂ，８Ｃ）とから構成したが、本発明において押圧ガイド体６の構成はこれに限定するものでなく、例えば、紐状体７をガイドする溝と、該溝に沿って紐状体７を押圧するローラとで構成することも可能であり、また、各ローラ体８の幅Ｌを、巻回ドラム５の溝に対応して複数個の滑車を回転自在に中心軸で連結して構成することも可能である。要は、紐状体７の移動をガイドするとともに巻回ドラム５側に押圧するば、その構成は特に問うものでない。
【図面の簡単な説明】
【００６８】
【図１】本発明のウインチを示す概略説明正面図
【図２】押圧ガイド体を示す概略説明正面図
【図３】ウインチの巻回ドラムにそれぞれ別の紐状体を巻回した使用状態を示す概略説明正面図
【図４】ウインチの巻回ドラムにそれぞれ別の紐状体を巻回した使用状態を示す概略説明正面図
【図５】ウインチの巻回ドラムに１つの紐状体を巻回した使用状態を示す概略説明正面図
【図６】ウインチの巻回ドラムに１つの紐状体を巻回した使用状態を示す概略説明正面図
【図７】本発明のウインチを用いた移動システムを示す概略説明図
【図８】本発明のウインチを用いた移動システムを示す概略説明図
【図９】本発明の巻回ドラムに対しての押圧ガイド体の押圧状態を示す概略説明側面図
【図１０】本発明の巻回ドラムに対しての押圧ガイド体の押圧状態を示す概略説明側面図
【図１１】本発明の２個の巻回ドラムに１つの紐状体に巻回した場合を示す概略説明図
【図１２】本発明の２個の巻回ドラムに１つの紐状体に巻回した場合を示す概略説明図
【図１３】複数のネット等の吊張体を吊り張りする場合を示す概略説明図
【符号の説明】
【００６９】１…ウインチ、５…巻回ドラム、３…駆動軸、６…押圧ガイド体
７…紐状体、１１…ネット
【図１】
2010116265.tif 000003
【図２】
2010116265.tif 000004
【図３】
2010116265.tif 000005
【図４】
2010116265.tif 000006
【図５】
2010116265.tif 000007
【図６】
2010116265.tif 000008
【図７】
2010116265.tif 000009
【図８】
2010116265.tif 000010
【図９】
2010116265.tif 000011
【図１０】
2010116265.tif 000012
【図１１】
2010116265.tif 000013
【図１２】
2010116265.tif 000014
【図１３】
2010116265.tif 000015